【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
他部品との接続端を備える把持部と、この把持部の先端に一体に形成された吐出口を有する頭部とを備えたシャワーヘッドにおいて、
前記把持部には水質浄化用カートリッジを内蔵するとともに、この水質浄化用カートリッジの内蔵により前記水質浄化用カートリッジを透過する浄水流路と前記水質浄化用カートリッジを透過しない原水流路とが形成され、
前記水質浄化用カートリッジの外周側流路を前記原水流路の一部とし、カートリッジ外表面に沿って軸方向へ流れる外周側流路から前記水質浄化用カートリッジを透過せずに前記頭部へ流れる前記原水流路を形成し、
前記外周側流路を前記原水流路と兼用しかつ前記水質浄化用カートリッジに設けられた水質浄化材を透過して前記水質浄化材の出口に達してから前記頭部へ流れる前記浄水流路を形成し、
前記頭部には、少なくとも前記原水流路を開閉する流路切換弁を組み込み、この流路切換弁を前記頭部の外側より操作可能に形成したことを特徴とする浄水機能付きシャワ−ヘッド。
【請求項２】
他部品との接続端を備える把持部と、この把持部の先端に一体に形成された吐出口を有する頭部とを備えたシャワーヘッドにおいて、
前記把持部には水質浄化用カートリッジを内蔵するとともに、この水質浄化用カートリッジの内蔵により前記水質浄化用カートリッジを透過する浄水流路と前記水質浄化用カートリッジを透過しない原水流路とが形成され、
前記水質浄化用カートリッジの中央空間部を前記原水流路の一部とし、前記中央空間部を内表面に沿って軸方向へ流れて前記水質浄化用カートリッジを透過せずに前記頭部へ流れる前記原水流路を形成し、
前記中央空間部から前記水質浄化用カートリッジに設けられた水質浄化材を介して外周側流路に至る流路を前記浄水流路の一部とし、前記中央空間部を前記原水流路と兼用しかつ前記水質浄化材を透過して前記外周側流路に達してから前記頭部へ流れる前記浄水流路を形成し、
前記頭部には、少なくとも前記原水流路を開閉する流路切換弁を組み込み、この流路切換弁を前記頭部の外側より操作可能に形成したことを特徴とする浄水機能付きシャワ−ヘッド。
【請求項３】
前記流路切換弁には、前記浄水流路を開閉する浄水用遮断弁と、前記原水流路を開閉する原水用遮断弁とを各別に設けたことを特徴とする請求項１又は２に記載の浄水機能付きシャワーヘッド。
【請求項４】
前記水質浄化材から前記吐出口までの間の流路中に殺菌セラミック及び／又は焼結磁性体を介装したことを特徴とする請求項１，２又は３に記載の浄水機能付きシャワーヘッド。
【手続補正２】
【補正対象書類名】明細書
【補正対象項目名】０００５
【補正方法】変更
【補正の内容】
【０００５】
前記課題を効果的に解決できるよう具体的に構成された手段としての、本発明に係る浄水機能付きシャワーヘッドは、他部品との接続端を備える把持部と、この把持部の先端に一体に形成された吐出口を有する頭部とを備えたシャワーヘッドにおいて、前記把持部には水質浄化用カートリッジを内蔵するとともに、この水質浄化用カートリッジの内蔵により前記水質浄化用カートリッジを透過する浄水流路と前記水質浄化用カートリッジを透過しない原水流路とが形成され、前記頭部には、少なくとも前記原水流路を開閉する流路切換弁を組み込み、この流路切換弁を前記頭部の外側より操作可能に形成したことを特徴とするものである。
【手続補正３】
【補正対象書類名】明細書
【補正対象項目名】０００６
【補正方法】変更
【補正の内容】
【０００６】
また、本発明に係る浄水機能付きシャワーヘッドは、前記水質浄化用カートリッジの内蔵により形成される浄水流路と原水流路とが、前記水質浄化用カートリッジの外周側流路を前記原水流路の一部とし、カートリッジ外表面に沿って軸方向へ流れる外周側流路から前記水質浄化用カートリッジを透過せずに前記頭部へ流れる前記原水流路を形成し、前記外周側流路を前記原水流路と兼用しかつ前記水質浄化用カートリッジに設けられた水質浄化材を透過して前記水質浄化材の出口に達してから前記頭部へ流れる前記浄水流路を形成したことを特徴とする。
【手続補正４】
【補正対象書類名】明細書
【補正対象項目名】０００７
【補正方法】変更
【補正の内容】
【０００７】
また、本発明に係る浄水機能付きシャワーヘッドは、前記水質浄化用カートリッジの内蔵により形成される浄水流路と原水流路とが、前記水質浄化用カートリッジの中央空間部を前記原水流路の一部とし、前記中央空間部を内表面に沿って軸方向へ流れて前記水質浄化用カートリッジを透過せずに前記頭部へ流れる前記原水流路を形成し、前記中央空間部から前記水質浄化用カートリッジに設けられた水質浄化材を介して外周側流路に至る流路を前記浄水流路の一部とし、前記中央空間部を前記原水流路と兼用しかつ前記水質浄化材を透過して前記外周側流路に達してから前記頭部へ流れる前記浄水流路を形成したことを特徴とする。
【手続補正５】
【補正対象書類名】明細書
【補正対象項目名】０００８
【補正方法】変更
【補正の内容】
【０００８】
また、本発明に係る浄水機能付きシャワーヘッドは、前記流路切換弁には、前記浄水流路を開閉する浄水用遮断弁と、前記原水流路を開閉する原水用遮断弁とを各別に設けたことを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】変更
【補正の内容】
【００１７】
また、本発明に係る浄水機能付きシャワーヘッドは、前記水質浄化材から前記吐出口までの間の流路中に殺菌セラミック及び／又は焼結磁性体を介装したことを特徴とする。
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】変更
【補正の内容】
【００２１】
以上のように本発明における浄水機能付きシャワーヘッドは、他部品との接続端を備える把持部と、この把持部の先端に一体に形成された吐出口を有する頭部とを備えたシャワーヘッドにおいて、前記把持部には水質浄化用カートリッジを内蔵するとともに、この水質浄化用カートリッジの内蔵により前記水質浄化用カートリッジを透過する浄水流路と前記水質浄化用カートリッジを透過しない原水流路とが形成され、前記頭部には、少なくとも前記原水流路を開閉する流路切換弁を組み込み、この流路切換弁を前記頭部の外側より操作可能に形成したことにより、水質を切り換えるための流路切換弁の制約が頭部に組込可能な範囲まで広げることができて、大きさの制約が従来に比して大幅に緩和でき、頭部側のみで流路切換弁の操作が可能になるため操作性が良くなり、また、頭部と把持部との重量配分がシャワーヘッドの取扱の観点からもバランスの良い配分にすることができ、取扱易い形状・構造にすることができる。
【手続補正１９】
【補正対象書類名】明細書
【補正対象項目名】００２２
【補正方法】変更
【補正の内容】
【００２２】
また、本発明に係る浄水機能付きシャワーヘッドは、水質浄化用カートリッジの内蔵により形成される浄水流路と原水流路とが、前記水質浄化用カートリッジの外周側流路を前記原水流路の一部とし、カートリッジ外表面に沿って軸方向へ流れる外周側流路から前記水質浄化用カートリッジを透過せずに前記頭部へ流れる前記原水流路を形成し、前記外周側流路を前記原水流路と兼用しかつ前記水質浄化用カートリッジに設けられた水質浄化材を透過して前記水質浄化材の出口に達してから前記頭部へ流れる前記浄水流路を形成したことにより、流路構成が簡素化できるとともにコンパクトにでき、把持部の構造が単純になって水質浄化材の内容物をより多く収納できるようになる。また、浄化材よりも外周側（上流側）の流路が原水と浄水との共用流路になり、浄水吐出時に蓄積された目詰りを引き起こすような固形物質を原水吐出時に洗い流すことができ、目詰りしにくくするとともに水質浄化用カートリッジの寿命を長くすることができる。
【手続補正２０】
【補正対象書類名】明細書
【補正対象項目名】００２３
【補正方法】変更
【補正の内容】
【００２３】
また、本発明に係る浄水機能付きシャワーヘッドは、水質浄化用カートリッジの内蔵により形成される浄水流路と原水流路とが、前記水質浄化用カートリッジの中央空間部を前記原水流路の一部とし、前記中央空間部を内表面に沿って軸方向へ流れて前記水質浄化用カートリッジを透過せずに前記頭部へ流れる前記原水流路を形成し、この中央空間部から前記水質浄化用カートリッジに設けられた水質浄化材を介して外周側流路に至る流路を前記浄水流路の一部とし、前記中央空間部を前記原水流路と兼用しかつ前記水質浄化材を透過して前記外周側流路に達してから前記頭部へ流れる前記浄水流路を形成したことにより、流路構成が一層簡素化できるとともにコンパクトにでき、把持部および水質浄化用カートリッジの構造がより単純になって水質浄化材の内容物をより多く収納できるようになる。また、浄化材よりも中心側（上流側）の流路が原水と浄水との共用流路になり、原水吐出時には、浄水吐出時に蓄積された目詰りを引き起こすような固形物質を容易に洗い流すことができ、目詰りしにくくするとともに水質浄化用カートリッジの寿命を長くすることができる。
【手続補正２１】
【補正対象書類名】明細書
【補正対象項目名】００２４
【補正方法】変更
【補正の内容】
【００２４】
また、本発明に係る浄水機能付きシャワーヘッドは、前記流路切換弁には、前記浄水流路を開閉する浄水用遮断弁と、前記原水流路を開閉する原水用遮断弁とを各別に設けたことにより、浄水流路と原水流路との切り換えを確実に行うことができる浄水機能付きシャワーヘッドを実現することができる。
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】変更
【補正の内容】
【００３３】
また、本発明に係る浄水機能付きシャワーヘッドは、前記水質浄化材から前記吐出口までの間の流路中に殺菌セラミック及び／又は焼結磁性体を介装したことにより、水質浄化用カートリッジの水質浄化材による水質浄化作用に加えて、殺菌セラミックと焼結磁性体との相乗効果による水質浄化が行われ、より一層効果的に水質を浄化することができる。
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】